(57)【要約】【課題】  車両内において、運転者のプライバシーの保護と安全運転とを確保しつつ、運転者と同乗者との間での情報共有を図る。【解決手段】  車載の情報提供装置（１０２）は、車載のＨＵＤ（２０４）上の情報から第１規則に従って抽出した情報のみを同乗者の携帯端末（１０４）へ送信することとして公開情報の種類を制限し、携帯端末は、自装置が備えるディスプレイ（４０６）上の情報から第２規則に従って抽出した情報のみを情報提供装置へ送信することとして、運転者に与える情報量を制限する。【選択図】図１
2014216714.tif 000002
【特許請求の範囲】
【請求項１】
車両の乗員間で情報を共有するための情報提供システムを構成する車載の情報提供装置であって、
表示装置と、
前記車両内にある携帯端末と通信するための通信装置と、
プロセッサ及び記憶装置を備える処理装置と、
を有し、
前記処理装置は、
指示が入力されたことに応じて、自装置が備える表示装置に現在表示されている情報から、予め定められた第１規則に従って情報を抽出し、
前記抽出した情報を、前記通信装置により前記携帯端末へ送信するよう構成されている、
情報提供装置。
【請求項２】
車両の乗員間で情報を共有するための情報提供システムを構成する、当該乗員が利用する携帯端末であって、
表示装置と、
車載の情報提供装置と通信するための通信装置と、
プロセッサ及び記憶装置を備える処理装置と、
を有し、
前記処理装置は、
指示が入力されたことに応じて、自装置が備える表示装置に現在表示されている情報から、予め定められた第２規則に従って情報を抽出し、
前記抽出した情報を、前記通信装置により前記情報提供装置へ送信するよう構成されている、
携帯端末。
【請求項３】
前記表示装置は、車両前方を見る運転者の視界内に配置されている、請求項１に記載の情報提供装置。
【請求項４】
前記第２規則は、前記表示装置に表示されたテキスト情報から所定の文字数以下のテキストを抽出すること、又は前記表示装置に表示された画像情報から所定の数以下の画像を抽出することである、請求項２に記載の携帯端末。
【請求項５】
前記第１規則は、前記携帯端末への送信を許可する情報の種別を規定するものである、請求項１に記載の情報提供装置。
【請求項６】
車両の乗員間で情報を共有するための情報提供システムを構成する携帯端末が備える、コンピュータである処理装置に、
指示が入力されたことに応じて、前記携帯端末が備える表示装置に現在表示されている情報から、予め定められた第２規則に従って情報を抽出するステップと、
前記抽出した情報を、前記車両の運転者に情報を提供する車載の情報提供装置へ送信するステップと、
を実行させるプログラム。
【請求項７】
前記処理装置に、
前記情報提供装置から送信される表示情報を受信して前記表示装置に表示するステップを更に実行させる、請求項６に記載のプログラム。
【発明の詳細な説明】
【技術分野】
【０００１】
本発明は、車両に搭載されて運転者と同乗者との情報共有を図る情報共有システムに関し、特に、当該情報共有システムを構成する車載の情報提供装置、及び乗員が利用する携帯端末、並びに当該携帯端末を動作させるプログラムに関する。
【背景技術】
【０００２】
通常、車両の運転者は、運転操作から注意が逸れないよう、運転操作以外の事柄に目を向ける意識的な余裕はあまりなく、運転者と同乗者との間での情報共有は会話に強く依存したものとなる。このため、共有することのできる情報の種類や量は制限されることとなり、例えば同乗者が携帯端末で得た画像等の情報を運転者と共有することは極めて困難である。また、例えば、後部座席に座った同乗者から運転席近くに設けられた表示装置の表示画面の詳細を把握することは困難であり、当該画面上に表示される様々な運転情報を運転者から同乗者に会話によって伝えることも、それほど容易なことではない。
【０００３】
特に、ナビゲーション装置の表示装置として、車両のフロントガラスに設けられたヘッドアップディスプレイ（ＨＵＤ、Head-Up Display）が用いられる場合、ＨＵＤの映像は遠焦点表示であるため運転者にとっては目の前の道路環境から目を離さずに表示映像を視認することができるものの、運転者以外の同乗者はその映像を見ることができず、ストレスを感じることとなる。
【０００４】
その結果、例えば観光地へ複数の同乗者と共にドライブする場合、同乗者間ではスマートフォン等の様々な情報源からの情報（例えば、目的地である観光地の画像情報）を共有して観光地までの時間を楽しく過ごせるのに対し、運転者はそのような画像情報を見ることができず孤立してしまうことが多い。また、同乗者も、現在位置や渋滞等の情報を把握することができず、経由地である観光スポットや休憩場所までの時間等を運転者に何度も尋ねることとなって、運転者を煩わしてしまうことになる。
【０００５】
従来、車両乗員の携帯端末と車載機器との間において情報を交換し共有する装置として、車載機器と携帯端末とが近距離無線（例えばBluetooth（登録商標））により通信可能に接続され、これらが互いに通信を行って共有すべき情報を交換する情報交換装置が知られている（特許文献１）。この装置では、携帯端末が車載機器に対して通信可能な距離に接近した場合に自動的に通信が確立され、通信が確立したことに応じて情報交換が行われる。
【０００６】
上記従来の装置を、運転者と同乗者との間の情報交換に用い、運転者が視認するＨＵＤ上の映像を同乗者の携帯端末との間で共有したり、同乗者の携帯端末上の表示映像をＨＵＤ上に表示して共有することも考えられる。
【０００７】
しかしながら、ＨＵＤと携帯端末との間で同一映像を共有した場合、ＨＵＤに表示される運転者が同乗者に知られたくない情報（例えば、ハンズフリーフォンの着信相手の名前や番号）も共有されることとなり、プライバシー保護の観点から問題がある。また、同乗者の携帯端末に表示される映像は、同乗者にとっては自分の手元でしっかりと凝視することができるため見やすいと言えるが、運転者がＨＵＤ上でこれを見ることは運転者の視認負荷の増大につながる恐れがある。さらに、携帯端末が公衆回線ネットワーク等から取得した映像をそのままＨＵＤに表示させた場合、当該表示に文字や動画などが多く含まれていれば運転者の視認負荷は益々増大することとなる。
【先行技術文献】
【特許文献】
【０００８】
【特許文献１】特開２００８−２７８３８８号公報
【発明の概要】
【発明が解決しようとする課題】
【０００９】
上記の背景より、プライバシー保護及び安全運転の確保に配慮しつつ、運転者が車載の表示装置から取得する情報と、同乗者が携帯端末から取得する情報とを、運転者と同乗者との間で互いに共有することのできる、情報共有システムの実現が望まれている。
【課題を解決するための手段】
【００１０】
本発明の一の形態は、車両の乗員間で情報を共有するための情報提供システムを構成する車載の情報提供装置である。本情報提供装置は、表示装置と、前記車両内にある携帯端末と通信するための通信装置と、プロセッサ及び記憶装置を備える処理装置と、を有しており、前記処理装置は、指示が入力されたことに応じて、自装置が備える表示装置に現在表示されている情報から、予め定められた第１規則に従って情報を抽出し、前記抽出した情報を、前記通信装置により前記携帯端末へ送信するよう構成されている。
【００１１】
本発明の他の形態は、車両の乗員間で情報を共有するための情報提供システムを構成する、当該乗員が利用する携帯端末である。本携帯端末は、表示装置と、車載の情報提供装置と通信するための通信装置と、プロセッサ及び記憶装置を備える処理装置と、を有しており、前記処理装置は、指示が入力されたことに応じて、自装置が備える表示装置に現在表示されている情報から、予め定められた第２規則に従って情報を抽出し、前記抽出した情報を、前記通信装置により前記情報提供装置へ送信するよう構成されている。
【００１２】
本発明の上記一の形態における一の態様によると、前記表示装置は、車両前方を見る運転者の視界内に配置されている。
【００１３】
本発明の上記他の形態における一の態様によると、前記第２規則は、前記表示装置に表示されたテキスト情報から所定の文字数以下のテキストを抽出すること、又は前記表示装置に表示された画像情報から所定の数以下の画像を抽出することである。
【００１４】
本発明の上記一の形態における他の態様によると、前記第１規則は、前記携帯端末への送信を許可する情報の種別を規定するものである。
【００１５】
本発明の更に他の形態は、情報提供システムを構成する携帯端末が備えるコンピュータたる処理装置に実行させるプログラムであって、指示が入力されたことに応じて、当該携帯端末が備える表示装置に現在表示されている情報から、予め定められた第２規則に従って情報を抽出するステップと、前記抽出した情報を、前記車両の運転者に情報を提供する車載の情報提供装置へ送信するステップと、を処理装置に実行させるものである。
【００１６】
本発明の上記更に他の形態における一の態様によると、前記プログラムは、前記処理装置に、前記情報提供装置から送信される表示情報を受信して前記表示装置に表示するステップを更に実行させるものである。
【００１７】
本発明によれば、運転者のプライバシー保護と車両の安全運転確保に配慮しつつ、運転者が車載の表示装置から取得する情報と、同乗者が携帯端末から取得する情報とを、運転者と同乗者との間で互いに共有することができる。
【図面の簡単な説明】
【００１８】
【図１】本発明の一実施形態に係る情報提供装置及び携帯端末により構成される情報共有システムを示すブロック図である
【図２】本発明の一実施形態に係る情報提供装置の構成を示すブロック図である。
【図３】本発明の一実施形態に係る情報提供装置における、第１規則を設定するための条件入力画面の一例を示す図である。
【図４】本発明の一実施形態に係る携帯端末の構成を示すブロック図である。
【図５】本発明の一実施形態に係る、情報提供装置から携帯端末への情報転送動作の一例を示す図である。
【図６】本発明の一実施形態に係る、携帯端末から情報提供装置への情報転送動作の一例を示す図である。
【図７】本発明の一実施形態に係る情報提供装置における、情報送信処理の手順を示すフロー図である。
【図８】本発明の一実施形態に係る情報提供装置における、情報受信処理の手順を示すフロー図である。
【図９】本発明の一実施形態に係る携帯端末における、情報送信処理の手順を示すフロー図である。
【図１０】本発明の一実施形態に係る携帯端末における、情報受信処理の手順を示すフロー図である。
【発明を実施するための形態】
【００１９】
以下、図面を参照して、本発明の実施の形態を説明する。
図１は、本発明の一実施形態に係る情報提供装置及び携帯端末により構成される情報共有システムを示すブロック図である。
本情報共有システム１０は、車両１００に搭載された情報提供装置１０２と、車両１００の乗員が操作する少なくとも一つの携帯端末１０４と、により構成される。
【００２０】
情報提供装置１０２は、車両１００の運転者にナビゲーション情報等の種々の情報を提供する車載装置であり、携帯端末１０４は、情報提供装置１０２と無線により通信可能に接続され、当該無線を介して情報提供装置１０２との間で種々の情報を交換する。
【００２１】
本実施形態では、携帯端末１０４はスマートフォン等の多機能携帯電話であり、ＰＡＮ（Personal Area Network）用の近距離無線通信規格の一つであるブルートゥース（登録商標）（Bluetooth、登録商標）を用いて、情報提供装置１０２と通信する。なお、携帯端末１０４と情報提供装置１０２とを通信可能に接続する手段は、ブルートゥース（登録商標）に限らず、ＺｉｇＢｅｅ等の他の通信規格に従う近距離無線や、ＩｒＤＡ（Infrared Data Association）規格に従う赤外線の光無線データ通信や、あるいはＷｉ−Ｆｉ認証を受けた無線装置を用いて行うこともできる。さらに、携帯端末１０４と情報提供装置１０２とを、有線通信により通信可能に接続するものとしてもよい。
【００２２】
図２は、情報提供装置１０２の構成を示すブロック図である。情報提供装置１０２は、処理装置２００と、ＰＡＮ無線装置２０２と、ヘッドアップディスプレイ（ＨＵＤ）２０４と、ステアリングスイッチ２０６と、を有している。また、処理装置２００には、ディスプレイ２０８と、操作入力装置２１０と、車両内ネットワーク（ＮＷ、Network）インタフェース２１２と、ハンズフリー装置２１４と、スピーカ２１６と、が接続されている。また、処理装置２００には、運転者に提供する情報の情報源であるナビゲーション装置２１８と、オーディオ装置２２０と、映像装置２２２と、が接続されている。
【００２３】
ＰＡＮ無線装置２０２は、ブルートゥース（登録商標）規格に従って携帯端末１０４と通信するための近距離無線装置である。ＰＡＮ無線装置２０２は、通信可能な距離範囲内（例えば、数ｍ程度）に、ブルートゥース（登録商標）規格に従う通信機能を備えた他の機器を検出すると、処理装置２００と連携して、当該他の機器とのペアリング動作を行い、ペアリングした他の機器との間でのみ、データ通信を行う。
【００２４】
より詳細には、ペアリング動作は、例えば以下のように行われる。まず、ＰＡＮ無線装置２０２は、通信可能範囲内において検出した機器の情報を処理装置２００に出力し、処理装置２００は、当該情報（例えば各機器の機器ＩＤ）をディスプレイ２０８にリスト表示する。運転者は、ディスプレイ２０８に表示された機器ＩＤから、同乗者の携帯端末１０４を特定し、操作入力装置２１０を介して、当該特定した機器（同乗者の携帯端末１０４）との間でペアリングを行うよう指示を入力する。
【００２５】
処理装置２００は、当該指示をＰＡＮ無線装置２０２に出力し、ＰＡＮ無線装置２０２は、指示された携帯端末１０４に対してＰＩＮ（Personal Identification Number）コードの送信を要求する。そして、当該携帯端末１０４からＰＩＮコードを受信すると、当該ＰＩＮコードに基づいて一意（ユニーク）なリンクキーを作成し、当該リンクキーにより当該携帯端末１０４を通信可能な相手として登録（メモリ等に保存）する。また、当該リンクキーを当該携帯端末１０４へ送信する。これにより、上記登録後は、当該携帯端末１０４との間で、上記リンクキーを用いて互いを認識して秘匿性を確保し、データ通信を開始する。
【００２６】
なお、携帯端末１０４との上記ペアリングは、特定の携帯端末１０４、例えば、家族が所有するスマートフォン等の携帯端末１０４との間で予め行い、情報提供装置１０２が情報を転送する携帯端末１０４の範囲を限定しておくものとすることができる。
【００２７】
ＨＵＤ２０４は、車両前方を見る運転者の視界内に配置される表示装置の一例であって、自車両のフロントガラス上の運転席前方部分に画像を投影あるいは表示するものである。ＨＵＤ２０４には、予め定められた所定の情報、例えば、自車両の走行速度や、ナビゲーション装置２１８からの経路案内等の情報が表示される。通常、ＨＵＤ２０４による表示は、フロントガラス上の画像投影部分を通過する運転者の視線により遠方に虚像を結ぶもの（遠焦点表示）であるため、運転者には視認できるが、同乗者から当該画像（虚像）を見ることは困難となっている。このため、ＨＵＤ２０４に表示される情報は、一般に、そのままでは同乗者との間でこれを共有することはできない。
【００２８】
ステアリングスイッチ２０６は、ステアリングホイール（ハンドル）に配置されたスイッチであり、本実施形態では、運転者が、処理装置２００に対しＨＵＤ２０４に表示された情報を携帯端末１０４へ送信するよう指示を与える際に用いる（後述）。
【００２９】
ディスプレイ２０８は、車両１００のフロントガラス下部にあるダッシュボードの、例えば車両幅方向の中央部に配されている。ディスプレイ２０８には、ナビゲーション装置２１８、オーディオ装置２２０、映像装置２２２等から出力される各種の情報（映像、画像、文字等）が表示される。ディスプレイ２０８は、例えば液晶表示装置（LCD、Liquid Crystal Display）により構成することができる。
【００３０】
操作入力装置２１０は、ディスプレイ２０８上に出力された表示等に対して乗員がデータ入力等の入力操作を行うため装置であり、例えば、ディスプレイ２０８の表示画面上に設けられたタッチパネルとすることができる。
【００３１】
車両内ＮＷインタフェース２１２は、車両１００内の車両内ＬＡＮ（Local Area Network）に接続するためのインタフェースである。車両内ＮＷインタフェース２１２は、処理装置２００が当該ネットワークを介して、例えば車両１００の燃費や車速等の情報を収集するのに用いられる。処理装置２００は、当該収集した燃費情報や車速情報を、例えばＨＵＤ２０４に表示する。
【００３２】
ハンズフリー装置２１４は、運転者が所有する携帯電話と通信可能に接続され、運転者が当該携帯電話を手で持つことなく通話できるように、当該携帯電話から出力される音響信号を処理装置２００を介して車載スピーカ２１６に接続すると共に、車載マイクロホン（不図示）から取得する音響信号を当該携帯電話に入力する。また、ハンズフリー装置２１４は、上記携帯電話に電話がかかって来たときに、その相手先を識別する情報（電話番号や、当該電話番号に対し予め登録された人の名前など）を処理装置２００に出力する。処理装置２００は、当該情報を例えばＨＵＤ２０４に表示する。
【００３３】
スピーカ２１６は、処理装置２００から出力される駆動信号により動作し、ハンズフリー装置２１４から入力される上記携帯電話からの音声や、オーディオ装置２２０、映像装置２２２で再生された音楽や映画等の音声を出力する。
【００３４】
ナビゲーション装置２１８は、経路探索及び経路案内等を行う通常のナビゲーション機能を有し、当該ナビゲーション機能に係る情報を処理装置２００に出力する。当該情報を受信した処理装置２００は、当該情報をディスプレイ２０８及び又はＨＵＤ２０４に表示すると共に、当該表示に対し操作入力装置２１０を介して乗員が入力した情報等を、ナビゲーション装置２１８へ出力する。ナビゲーション装置２１８、は当該入力された情報を受信して、当該情報に応じた処理を行う。
【００３５】
オーディオ装置２２０は、音楽ＣＤ（Compact Disc）やＵＳＢ（登録商標）メモリ等の記憶媒体に記録され又は記憶された音楽等の音響情報を再生する。オーディオ装置２２０は、当該音響情報の再生に係る情報（例えば、再生音楽のタイトルや、アーティスト名等の付帯情報）を、処理装置２００を介してディスプレイ２０８及び又はＨＵＤ２０４に表示する。また、オーディオ装置２２０は、操作入力装置２１０を介して乗員が入力する音響情報再生に係る動作指示を、処理装置２００を介して受信し、当該受信した指示に応じて音響情報を再生する。
【００３６】
映像装置２２２は、ＤＶＤ等に記憶され又は記録された映像情報を再生する。映像装置２２２は、当該再生した映像を、処理装置２００を介してディスプレイ２０８に表示する。また、映像装置２２２は、映像情報の再生に係る情報（例えば、再生される映画のタイトルなど）を、処理装置２００を介してディスプレイ２０８及び又はＨＵＤ２０４に表示する。さらに、映像装置２２２は、操作入力装置２１０を介して乗員が入力する映像情報再生に係る動作指示（例えば、再生を開始すべきチャプターの指定）を、処理装置２００を介して受信し、当該受信した指示に応じて映像情報を再生する。
【００３７】
なお、ナビゲーション装置２１８、オーディオ装置２２０、及び映像装置２２２は運転者に情報を提供する装置の一例であって、処理装置２００には、これらに限らず、運転者がディスプレイ２０８及び又はＨＵＤ２０４を介して何らかの情報を取得することのできる任意の他の装置を接続することができる。
【００３８】
処理装置２００は、ＣＰＵ（Central Processing Unit）等のプロセッサと、プログラムが書き込まれたＲＯＭ（Read Only Memory）、データの一時記憶のためのＲＡＭ（Random Access Memory）、及びフラッシュメモリ等の不揮発性メモリ等を含む記憶装置と、を有するコンピュータであり、入力選択ユニット２３０と、操作検出ユニット２３２と、表示制御ユニット２３４と、通信制御ユニット２３６と、情報転送制御ユニット２３８と、を有している。
【００３９】
処理装置２００が備える上記各ユニットは、コンピュータである処理装置２００がプログラムを実行することにより実現される仮想マシンであり、機能実現手段である。ただし、他の実施形態として、上記各ユニットを、それぞれ個別のハードウェアとして構成することもできる。なお、コンピュータ・プログラムは、コンピュータ読み取り可能な任意の記憶媒体に記憶させておくことができる。
【００４０】
入力選択ユニット２３０は、ディスプレイ２０８及び又はＨＵＤ２０４に表示する情報の情報源として、ナビゲーション装置２１８、オーディオ装置２２０、又は映像装置２２２のいずれかを選択する。入力選択ユニット２３０は、乗員から操作入力装置２１０を介して情報源の指定に関する指定情報が入力されたことに応じて、当該指定情報に基づいて、上記装置２１８〜２２２のいずれかを選択する。また、入力選択ユニット２３０は、情報源として上記装置２１８〜２２２を選択した後は、当該選択した装置に関し操作入力装置２１０を介して乗員が入力する情報を、当該選択した装置に出力する。
【００４１】
操作検出ユニット２３２は、乗員が操作入力装置２１０に対して入力した情報を、当該操作入力装置２１０から受信する。操作検出ユニット２３２は、当該受信した情報が、上記選択された装置２１８〜２２２のいずれかの装置に関するものであれば、当該入力選択ユニット２３０を介して当該選択された装置へ上記受信した情報を出力する。また、操作検出ユニット２３２は、上記受信した情報が、処理装置２００の動作に係る情報であるときは、当該動作に係るいずれかのユニット２３０、２３４、２３６、２３８へ、当該受信した情報を受け渡す。なお、上記受信した情報が、処理装置２００の動作に係る情報か否かは、例えば、操作入力装置２１０の特定のボタン操作を処理装置２００の動作に予め関連付けておくことで判断することができる。
【００４２】
表示制御ユニット２３４は、入力選択ユニット２３０を介して入力された装置２１８〜２２２のいずれかからの画像情報及び映像情報、又はその他の情報を、ディスプレイ２０８及び又はＨＵＤ２０４の表示画面に出力する。また、表示制御ユニット２３４は、処理装置２００の動作に係る情報も、ディスプレイ２０８及び又はＨＵＤ２０４に出力する。
【００４３】
通信制御ユニット２３６は、ＰＡＮ無線装置２０２及び車両内ＮＷインタフェース２１２を介して情報を入力し及び出力する。
【００４４】
情報転送制御ユニット２３８は、ステアリングスイッチ２０６が操作（例えば、押下）されたことに応じて、ＨＵＤ２０４に現在表示されている情報（コンテンツ）から、運転者が予め定めた所定の規則（以下、「第１規則」という）に従って表示情報を抽出し、当該抽出した表示情報のみを、通信制御ユニット２３６及びＰＡＮ無線装置２０２を介して、同乗者の携帯端末１０４へ送信する。ここで、運転者が予め定める上記第１規則は、例えば操作入力装置２１０の特定のボタンを運転者が操作することによりディスプレイ２０８に表示される条件入力画面に対し、当該運転者が操作入力装置２１０を介して抽出条件を入力することにより設定することができる。当該条件は、運転者が他の乗員（同乗者）に公開してよい情報コンテンツを規定するものであり、例えば、同乗者の携帯端末１０４において表示することを許可する情報の種類とすることができる。
【００４５】
これにより、運転者は、ＨＵＤ２０４に表示されている情報のうち第１規則により制限された情報のみを携帯端末１０４へ容易に送信することができるので、プライバシーを確保しつつＨＵＤ２０４上の表示情報を同乗者と共有することができる。
【００４６】
また、情報転送制御ユニット２３８は、ＰＡＮ無線装置２０２と通信制御ユニット２３６とを介して携帯端末１０４から受信した表示情報をＨＵＤ２０４に表示するよう、表示制御ユニット２３４に指示する。
【００４７】
なお、ステアリングスイッチ２０６は、情報転送制御ユニット２３８に上記表示情報の抽出と送信を行わせるトリガを与えるための操作装置の一例であって、ステアリングスイッチ２０６に代えて他の操作装置（例えば操作入力装置２１０やダッシュボードに設けられた任意のスイッチ）を用いることもできる。
【００４８】
図３は、第１規則を設定する際にディスプレイ２０８に表示される条件入力画面の一例を示す図である。図示の例では、「メータ情報」等の６つの公開情報の候補項目のリスト（「表示許可リスト」という）が表示されている。これらの候補項目は、ＨＵＤ２０４に表示される情報のうち携帯端末１０４へ送信され得る情報の種別を表わしており、運転者は、各項目の左側に表示されたチェックボックスにチェックを入力することにより、当該項目を公開可能な情報として設定することができる。
【００４９】
ここで、図３に示す例における「メータ情報」（符号３００）とは、各種のメータに表示される情報、例えば車速等を意味し、「ナビゲーション」（符号３０２）とは、ナビゲーション装置２１８が出力する各種の情報、例えば、直近交差点における進行方向案内（左折又は右折の矢印アイコンなど）を意味する。また、「ハンズフリーフォン」（符号３０４）とは、ハンズフリー装置２１４が出力する情報、例えば、当該ハンズフリー装置２１４に接続された携帯電話に電話着信があった場合における、相手先の電話番号や当該電話番号に対応するものとして予め登録されている相手先名を意味する。また、「燃費表示」（符号３０６）とは、燃費に関する情報であり、「ミュージック」（符号３０８）とは、オーディオ装置２２０が出力する情報、例えば現在再生中の音楽のタイトルやアーティスト名を意味する。さらに、「エアコン」（符号３１０）は、車載のエアコン（不図示）の設定情報を意味する。
【００５０】
ここで、車速、燃費、及びエアコン設定等の情報は、処理装置２００が車両内ＮＷインタフェース２１２及び通信制御ユニット２３６を介して、エンジン制御やエアコン制御を行う車載のＥＣＵ（電子制御装置、Electronic Control Unit）（不図示）から取得することができる。
【００５１】
また、上記のように設定された第１規則は、処理装置２００が備えるフラッシュメモリ等の不揮発性メモリ（不図示）に記憶させておくことができる。さらに、上記第１規則は、当該車両を運転する異なる複数の運転者毎に設定するものとすることができる。この場合には、例えば、第１規則を設定する際に、入力された第１規則と共に運転者識別情報（例えば、各運転者の指紋情報）を関連付けて上記不揮発性メモリに記憶させておくことができる。処理装置２００は、例えば、各運転者に対し、スキャナ（不図示）等による指紋認証を求めるものとし、当該認証により運転者を特定して、当該運転者に対応する第１規則を特定するものとすることができる。
【００５２】
また、上述のように設定された第１規則を、例えば、ＦＯＢ型の車両用キー（車両の動作を開始させるキー）が備えるフラッシュメモリ等の不揮発性メモリに記憶させておくものとすることもできる。この場合、運転者（例えば、同一の車両１００を利用する父親、母親、及び子供）ごとに異なるＦＯＢ型車両キーを用いるものとすることで、各運転者は自分が設定した第１規則を用いて、処理装置２００を動作させることができる。ＦＯＢ型車両用キーの不揮発性メモリに記憶された第１規則は、例えば、車両１００が備えるキー認証のためのイモビライザＥＣＵ（不図示）が読みとるものとし、当該読みとられた第１規則は、処理装置２００が、車両内ＮＷインタフェース２１２を介して当該イモビライザＥＣＵから取得するものとすることができる。
【００５３】
なお、ＨＵＤ２０４上にどのような種類の表示情報が表示されているかは、例えば、記憶装置（不図示）に記憶された、ＨＵＤ２０４上の表示情報とその情報源である装置とを対応付けた表示情報リストに基づいて識別するものとすることができる。また、当該表示情報リストは、表示制御ユニット２３４が、ＨＵＤ２０４に対する情報表示動作を行う毎に、作成又は更新するものとすることができる。
【００５４】
次に、携帯端末１０４の構成について、図４に示すブロック図を用いて説明する。
【００５５】
携帯端末１０４は、処理装置４００と、ＰＡＮ無線装置４０２と、広域無線装置４０４と、ディスプレイ４０６と、操作入力装置４０８と、スピーカ４１０と、マイクロホン４１２と、を有している。
【００５６】
ＰＡＮ無線装置４０２は、ブルートゥース（登録商標）規格に従って情報提供装置１０２と通信するための近距離無線装置である。ＰＡＮ無線装置４０２は、通信可能な距離範囲内（例えば、数ｍ程度）に、ブルートゥース（登録商標）規格に従う通信機能を備えた他の機器を検出すると、処理装置４００と連携して、当該他の機器との間でペアリング動作を行い、ペアリングした他の機器との間でのみ、データ通信を行う。
【００５７】
ペアリング動作の手順は、情報提供装置１０２のＰＡＮ無線装置２０２について上述したとおりであり、ＰＡＮ無線装置４０２は、情報提供装置１０２のＰＡＮ無線装置２０２からＰＩＮコードの送信要求があった旨を処理装置４００に通知し、処理装置４００から送信許可を受信すると、ＰＩＮコードを送信する。その後、ＰＡＮ無線装置２０２からリンクコードを受信すると、これを記憶（登録）し、情報提供装置１０２との間のペアリングを完了する。なお、処理装置４００からのＰＩＮコードの送信許可は、操作入力装置４０８を介して、当該携帯端末１０４の所有者である同乗者が入力するものとすることができる。
【００５８】
広域無線装置４０４は、公衆電話回線等の公衆回線に接続された公衆無線ＬＡＮ（Local Area Network）と接続するための無線装置である。処理装置４００は、広域無線装置４０４を介して公衆回線と接続し、電話網やインターネット網との間で通信を行うことができる。
【００５９】
ディスプレイ４０６は、処理装置４００がＰＡＮ無線装置４０２又は広域無線装置４０４を介して取得した情報等を表示する。ディスプレイ４０６は、例えば液晶表示装置（ＬＣＤ）により構成することができる。
【００６０】
操作入力装置４０８は、ディスプレイ４０６上に出力された表示等に対して同乗者がデータ入力等の入力操作を行うため装置であり、例えば、ディスプレイ４０６の表示画面上に設けられたタッチパネルとすることができる。
【００６１】
スピーカ４１０及びマイクロホン４１２は、例えば、処理装置４００が広域無線装置４０４を介して電話網と接続され電話着信があったときに、同乗者が電話回線を介して会話を行う際に使用される。
【００６２】
処理装置４００は、ＣＰＵ（Central Processing Unit）等のプロセッサと、プログラムが書き込まれたＲＯＭ（Read Only Memory）、データの一時記憶のためのＲＡＭ（Random Access Memory）、及びフラッシュメモリ等の不揮発性メモリ等を含む記憶装置と、を有するコンピュータであり、無線接続制御ユニット４２０と、電話通信制御ユニット４２２と、メール通信制御ユニット４２４と、ウェブ通信制御ユニット４２６と、情報転送制御ユニット４２８と、を有している。
【００６３】
処理装置４００が備える上記各ユニットは、コンピュータである処理装置４００がプログラムを実行することにより実現される仮想マシンであり、機能実現手段である。ただし、他の実施形態として、上記各ユニットを、それぞれ個別のハードウェアとして構成することもできる。なお、コンピュータ・プログラムは、コンピュータ読み取り可能な任意の記憶媒体に記憶させておくことができる。
【００６４】
無線接続制御ユニット４２０は、他のユニット４２２〜４２８の指示に基づき、ＰＡＮ無線装置４０２を介して情報提供装置１０２と間で各種のデータを送受信したり、広域無線装置４０４を介して公衆電話回線やインターネット網等との間でデータの送受信を行う。
【００６５】
電話通信制御ユニット４２２、広域無線装置４０４を介して公衆回線と通信して電話機能を実現する。すなわち、公衆回線から自装置への電話着信を受信（検出）して、スピーカ４１０に着信音を発すると共に、操作入力装置４０８を介した同乗者のボタン押下等の操作入力により電話回線を接続して、スピーカ４１０及びマイクロホン４１２により電話回線を通じた会話を可能とする。
【００６６】
メール通信制御ユニット４２４は、コンピュータである処理装置４００が所謂メールソフトと称されるアプリケーションソフトウェアを実行することにより実現される。メール通信制御ユニット４２４は、広域無線装置４０４を介してインターネット網と通信し、自装置への電子メールの着信を検出して、スピーカ４１０により当該着信を報知すると共に、当該電子メールを受信して記憶装置（不図示）に保存する。また、操作入力装置４０８が操作されたことに応じて、上記保存した電子メールをディスプレイ４０６に表示したり、操作入力装置４０８から入力されたテキスト情報等を、指定された電子メールアドレスへ電子メールとして送信する。なお、上記受信する電子メールには、テキストのほか、画像や映像も含まれ、メール通信制御ユニット４２４は、受信したテキスト、画像、及び映像を、ディスプレイ４０６に表示する。
【００６７】
ウェブ通信制御ユニット４２６は、コンピュータである処理装置４００がアプリケーションソフトウェアを実行することにより実現される所謂ウェブ・ブラウザである。ウェブ通信制御ユニット４２６は、広域無線装置４０４を介してインターネット網と通信し、操作入力装置４０８が操作されたことに応じて、当該インターネット網に接続された各種のウェブサイトからデータを取得してディスプレイ４０６に表示したり、当該サイトへデータを送信する。
【００６８】
情報転送制御ユニット４２８は、ＰＡＮ無線装置４０２と無線接続制御ユニット４２０とを介して情報提供装置１０２から表示情報を受信したときは、当該表示情報をディスプレイ４０６に表示する。
【００６９】
また、情報転送制御ユニット４２８は、操作入力装置４０８を介して特定のボタンが押下されたことに応じて、ディスプレイ４０６に現在表示されている情報（コンテンツ）から、予め定めた所定の規則（以下、「第２規則」という）に従って表示情報を抽出し、当該抽出した表示情報のみを、無線接続制御ユニット４２０及びＰＡＮ無線装置４０２を介して情報提供装置１０２へ送信する。
【００７０】
ここで、上記第２規則は、例えば、
・文字数制限規則：所定数（例えば１０文字）以下の文字を含むテキスト情報に制限すること、及び又は
・画像数制限規則：所定数（例えば１）以下の数の画像を含む画像情報に英現すること、
とすることができる。
【００７１】
なお、上記「所定数以下の文字」は、例えば、“最も大きなサイズで描画されている文字の先頭から所定数の文字”とすることができ、「所定数以下の数の画像」は、例えば、“最も大きなサイズで表示されている画像から所定数の画像”とすることができる。
【００７２】
情報転送制御ユニット４２８は、上記第２規則に従い、ディスプレイ４０６に現在表示されている表示情報の全部又は一部を、情報提供装置１０２へ送信する。これにより、携帯端末１０４に表示されている情報を、同乗者と運転者との間で共有することが可能となる。また、携帯端末１０４から情報提供装置１０２へ送信されてＨＵＤ２０４に表示される情報は、第２規則によりその情報量（例えば、文字数や画像数）が制限されているため、車両１００の走行中における運転者の注意力を低下させることなく、当該情報を運転者に提示することができる。
【００７３】
なお、情報転送制御ユニット４２８によるディスプレイ４０６上の表示情報の識別（テキストと画像の区別、テキストの表示サイズ、文字数、各画像の表示サイズ等の識別）は、例えばディスプレイ４０６上の表示画面を規定するＸＭＬ（Extensible Markup Language）のソースコード（例えば、ウェブサイトから受信される）を参照して行うものとすることができる。
【００７４】
次に、情報提供装置１０２と携帯端末１０４との間で行われる情報転送動作の例を、図５及び図６を用いて説明する。
図５は、情報提供装置１０２から、ＨＵＤ２０４上の表示情報を携帯端末１０４へ転送する場合の例である。
【００７５】
図５Ａは、車両１００内に配されたＨＵＤ２０４の表示画面の一例を示す図である。図示の例では、運転席前方に配されたハンドル５００の中心とダッシュボード５０２上の運転席前方部分に配された速度計５０４の中心とを結ぶライン上の、フロントガラスの一部分に、ＨＵＤ２０４が設けられている。また、図示の例では、運転者の携帯電話に電話着信があったことが、ハンズフリー装置２１４から処理装置２００に通知されており、当該着信の相手氏名が、ＨＵＤ２０４の上部の表示領域に「着信：本田  愛」（符号５１０）として表示されている。
【００７６】
また、ＨＵＤ２０４には、現在の車速の情報がＨＵＤ２０４の下部左側の表示領域に「２８ｋｍ／ｈ」（符号５１２）と表示されている。さらに、ナビゲーション装置２１８からの経路案内情報として、次の交差点で右折すべきことを示す矢印（符号５１４）が、ＨＵＤ２０４の下部右側の表示領域に表示されている。
【００７７】
この状態において、ハンドル５００に設けられたステアリングスイッチ２０６を運転者が押下すると、処理装置２００の情報転送制御ユニット２３８は、ＨＵＤ２０４上の表示情報から、第１規則に合致する情報（例えば、第３図において選択された種類の情報）のみを抽出して、携帯端末１０４へ送信する。図示の例では、第３図において情報種別「ハンズフリーフォン」にチェックが入力されておらず、ハンズフリー装置２１４から出力される情報は公開対象となっていないことから、情報転送制御ユニット２３８は、ハンズフリー装置２１４からの表示情報「着信：本田  愛」（符号５１０）を除く他の表示情報（符号５１２及び５１４）のみを、携帯端末１０４へ送信する。
【００７８】
携帯端末１０４は、当該表示情報を受信し、図５Ｂに示すように、当該受信した表示情報をディスプレイ４０６に表示する。図示の例では、図５ＡのＨＵＤ２０４に表示された速度情報（符号５１２）に対応する速度情報（符号５２２）がディスプレイ４０６の表示領域左側に表示され、図５ＡのＨＵＤ２０４に表示された右折を案内する矢印（符号５１４）に対応する矢印（符号５２４）がディスプレイ４０６の表示領域右側に表示されている。
【００７９】
これにより、走行中においても、ＨＵＤ２０４に表示される情報を運転者と同乗者とで共有することができため、同乗者にとっては車両１００の走行状態を知ることができてストレスが軽減され、運転者にとっては上記共有した情報に基づく会話が可能となって孤立感が軽減される。また、共有した情報に基づいて、同乗者から運転者に対し、車両走行に関するアシスト（例えば、近道情報などの情報提供）を行うことも可能となる。
【００８０】
また、ＨＵＤ２０４に現在表示されているコンテンツのうち、運転者が予め公開を許可した情報（第１規則に合致する情報）のみが携帯端末１０４へ送信されるため、運転者のプライバシー（例えば、電話相手の氏名）が守られ、運転者は安心して運転に集中することができる。
【００８１】
図６は、携帯端末１０４から、ディスプレイ４０６上の表示情報を情報提供装置１０２へ転送する場合の例である。
図６Ａは、携帯端末１０４のディスプレイ４０６上の表示画面の一例を示す図である。図示の例では、例えばインターネットを介して特定のウェブサイトから取得されたラーメン店の情報がテキスト情報と画像情報とで表示されている。すなわち、店舗名「山盛一番堂  高田馬場店」（符号６００）と、その振り仮名名「やまもりいちばんどう」（符号６０２）と、店舗評価「４★★★★☆」（符号６０４）とが、テキスト情報を構成し、商品の写真画像（符号６０６及び６０８）が画像情報を構成している。
【００８２】
この状態において、携帯端末１０４の特定のボタン、例えばボタン６１０が押下されると、処理装置４００の情報転送制御ユニット４２８は、ディスプレイ４０６上の表示情報から、第２規則に合致する情報のみを抽出して、情報提供装置１０２へ送信する。
【００８３】
情報提供装置１０２は、携帯端末１０４から送信された上記表示情報を受信し、図６Ｂに示すようにＨＵＤ２０４に表示する。
図示の例では、携帯端末１０４の情報転送制御ユニット４２８は、例えばディスプレイ４０６上の画像のうち最も大きな１枚の画像（符号６０６）と、最も大きなサイズで表示されたテキスト（符号６００）のうち最初の１０文字（空白含む）とを、情報提供装置１０２に送信する。
【００８４】
情報提供装置１０２はこれらの情報を受信し、符号６００で示す最初の１０文字文のテキスト（符号６２０）と、符号６０６の画像に対応する画像（符号６２２）とをＨＵＤ２０４に表示する。
【００８５】
これにより、運転者は、携帯端末１０４に表示された主だった情報をＨＵＤ２０４により見ることができるので、同乗者と共通の情報に基づいて会話することができ、孤立感が緩和される。また、同様の理由から、同乗者も、運転者との会話が容易となり、ストレスが緩和される。
【００８６】
また、携帯端末１０４から情報提供装置１０２へ送信されＨＵＤ２０４に表示される表示情報は、第２規則によりその情報量が制限されているので、運転者は、走行中であっても注意を削がれることなく走行の安全性を確保することができる。
【００８７】
次に、情報提供装置１０２及び携帯端末１０４の動作手順について説明する。情報提供装置１０２及び携帯端末１０４は、それぞれ情報送信処理と情報受信処理とを行う。以下、各処理の手順を順に説明する。
【００８８】
〔情報提供装置における情報送信処理〕
まず、情報提供装置１０２における情報送信処理について、図７に示すフロー図を用いて説明する。本処理は、ステアリングスイッチ２０６が押下されたことに応じて開始し、処理装置２００により実行される。
【００８９】
処理を開始すると、まず、処理装置２００の情報転送制御ユニット２３８は、処理装置２００が備える記憶装置に記憶された第１規則を参照し（Ｓ１０１）、第１規則に従って、ＨＵＤ２０４上の表示情報から公開可能な情報（公開許可情報）を抽出する（Ｓ１０２）。
【００９０】
次に、情報転送制御ユニット２３８は、上記抽出した表示情報を、通信制御ユニット２３６とＰＡＮ無線装置２０２を介して、登録済みの携帯端末１０４へ送信した後（Ｓ１０３）、処理を終了する。ここで、登録済みの携帯端末１０４とは、本処理に先だってＰＡＮ無線装置２０２がブルートゥース（登録商標）規格に基づいてペアリングを行った携帯端末１０４を意味する。
【００９１】
〔情報提供装置における情報受信処理〕
次に、情報提供装置１０２における情報受信処理について、図８に示すフロー図を用いて説明する。本処理は、ＰＡＮ無線装置２０２が情報を受信したことに応じて開始し、処理装置２００により実行される。
【００９２】
処理を開始すると、まず、処理装置２００の情報転送制御ユニット２３８は、受信した情報が携帯端末１０４から送信された表示情報か否かを判断し（Ｓ２０１）、携帯端末１０４から送信された表示情報であれば（Ｓ２０１、Ｙｅｓ）、受信した表示情報を表示制御ユニット２３４を介してＨＵＤ２０４に表示した後（Ｓ２０２）、処理を終了する。一方、受信した情報が、携帯端末１０４から送信された表示情報でないときは（Ｓ２０１、Ｎｏ）、そのまま処理を終了する。
【００９３】
なお、受信した情報が携帯端末１０４から送信された表示情報であるか否かは、例えば携帯端末１０４の情報転送制御ユニット４２８が当該情報を送信する際に、当該情報に表示情報であることを示すヘッダコード等を付加するものとすることにより、当該コードの存在の有無により判断することができる。また、ＨＵＤ２０４に表示された上記表示情報は、例えば、運転者がステアリングスイッチ２０６を操作することにより消去されるものとすることができる。
【００９４】
〔携帯端末における情報送信処理〕
次に、携帯端末１０４における情報送信処理について、図９に示すフロー図を用いて説明する。本処理は、携帯端末１０４の所定のボタン（例えば図６Ａの符号６１０のボタン）が押下されたことにより開始し、処理装置４００により実行される。
【００９５】
処理を開始すると、まず、処理装置４００の情報転送制御ユニット４２８は、処理装置４００が備える記憶装置に記憶された第２規則を参照し（Ｓ３０１）、当該第２規則に従って、ディスプレイ４０６上の表示情報から情報提供装置１０２へ送信すべき情報を抽出する（Ｓ３０２）。
【００９６】
次に、情報転送制御ユニット４２８は、上記抽出した表示情報を、無線接続制御ユニット４２０とＰＡＮ無線装置４０２を介して、登録済みの情報提供装置１０２へ送信した後（Ｓ３０４）、処理を終了する。ここで、登録済みの情報提供装置１０２とは、本処理に先だってＰＡＮ無線装置４０２がブルートゥース（登録商標）規格に基づいてペアリングを行った情報提供装置１０２を意味する。
【００９７】
〔携帯端末における情報受信処理〕
次に、携帯端末１０４における情報受信処理について、図１０に示すフロー図を用いて説明する。本処理は、ＰＡＮ無線装置４０２を介して情報提供装置１０２から情報を受信したことに応じて開始し、処理装置４００により実行される。
【００９８】
処理を開始すると、まず、処理装置４００の情報転送制御ユニット４２８は、受信した情報が情報提供装置１０２から送信された表示情報か否かを判断し（Ｓ４０１）、情報提供装置１０２から送信された表示情報であれば（Ｓ４０１、Ｙｅｓ）、受信した表示情報をディスプレイ４０６に表示した後（Ｓ４０２）、処理を終了する。一方、受信した情報が、情報提供装置１０２から送信された表示情報でないときは（Ｓ４０１、Ｎｏ）、そのまま処理を終了する。
【００９９】
なお、受信した情報が情報提供装置１０２から送信された表示情報であるか否かは、例えば情報提供装置１０２の情報転送制御ユニット２３８が当該情報を送信する際に、当該情報に表示情報であることを示すヘッダコード等を付加するものとすることにより、当該コードの存在の有無により判断することができる。
【０１００】
ディスプレイ４０６に表示された上記表示情報は、例えば、携帯端末１０４に設けられた特定のボタンが押下されたことに応じて消去されるものとすることができる。
【０１０１】
なお、本実施形態では、情報提供装置１０２は、ＨＵＤ２０４上の表示情報を第１規則に従って抽出し、当該抽出した表示情報を一律に全ての携帯端末１０４へ送信するものとしたが、これに限らず、携帯端末１０４毎に、異なる第１規則に従って抽出された表示情報を送信するものとすることができる。より具体的には、例えばＰＡＮ無線装置２０２が登録（記憶）している携帯端末１０４の機器ＩＤ毎に、図３の条件入力画面を用いて第１規則が入力されるものとし、当該入力された各第１規則を、対応する携帯端末１０４の機器ＩＤと関連付けて処理装置２００が備える記憶装置（不図示）に記憶させ、必要に応じて参照するものとすることができる。
【０１０２】
また、本実施形態では、情報提供装置１０２は、携帯端末１０４から受信した表示情報をそのままＨＵＤ２０４に表示するものとしたが、当該受信した表示情報に対し、予め定めた第３規則を適用し、当該規則に従って当該表示情報から更に情報を抽出して、当該抽出した情報をＨＵＤ２０４に表示するものとしてもよい。当該第３規則に従う表示情報の抽出は、情報提供装置１０２の情報転送制御ユニット２３８が行うものとすることができる。
【０１０３】
第３規則の第１の例としては、例えば、携帯端末１０４から受信したテキスト情報の文字を、車両１００の車種に応じたＨＵＤ２０４の表示領域サイズに合わせた所定の文字数まで更に削減したり、又は携帯端末１０４から受信した画像の数を更に削減するものとすることができる。
【０１０４】
また、第３規則の第２の例として、ＨＵＤ２０４に現在表示されているテキストの文字数を含めた全表示文字数が所定数以下となるように、携帯端末１０４から受信したテキスト情報の文字を更に削減するものとすることができる。例えば、表示文字の全文字数を３０文字以下に設定した場合に、ＨＵＤ２０４に「２８ｋｍ／ｈ」という６文字の速度情報が既に表示されているときは、携帯端末１０４から受信したテキスト情報から２４文字（３０文字−６文字）を抽出してＨＵＤ２０４に表示するものとすることができる。また、この場合、携帯端末１０４から受信したテキスト情報に２４文字以上の文字が含まれていれば、当該テキスト情報を表示しないものとすることもできる。
【０１０５】
さらに、第３規則の第３の例として、第３規則をＦＯＢ型車両キーが備える不揮発性メモリに記憶させておくものとし、当該キーの利用者が年齢に合わせて上記第３規則の第２の例における全表示文字数を設定しておくものとすることができる。
【０１０６】
また、上記第３規則の第１〜第３の例において、第３規則に従って表示文字の全部又は一部が削除された場合には、情報転送制御ユニット２３８が、当該削除したテキスト部分を含む読み上げ音声を生成してスピーカ２１６から発するものとすることができる。また、情報転送制御ユニット２３８が、当該削除したテキスト部分を当該表示情報の送信元である携帯端末１０４へ送信し、携帯端末１０４では、情報転送制御ユニット４２８が、ディスプレイ４０６上の表示情報のうち、上記受信した削除文字部分を強調表示して、運転者に伝わらなかった情報を明示するものとすることができる。
【０１０７】
また、第３規則の追加規則として、上記第３規則の第１〜第３の例に示す規則を、車両１００が走行中（例えば、車速が１ｋｍ／ｈ以上）の場合にのみ適用するものとすることができる。
【０１０８】
以上、説明したように、本実施形態では、情報提供装置１０２から携帯端末１０４への情報転送動作においては、ＨＵＤ２０４に表示された情報のうち予め定めた第１規則に従って抽出される情報のみを送信することで、公開する情報の種類を制限する。これにより、運転者は、プライバシーを確保しつつ携帯端末１０４のユーザである同乗者と情報を共有して、孤立感を感じることなく同乗者との会話を楽しむことができる。また、同乗者は走行に関する情報等を得て、ストレスを感じることなく会話を楽しむことができる。
【０１０９】
また、携帯端末１０４から情報提供装置１０２への情報転送動作においては、携帯端末１０４のディスプレイ４０６に表示される情報のうち予め定めた第２規則に従って抽出される情報のみを送信することで、情報提供装置１０２を介して運転者に与える情報量を制限する。これにより、走行中の運転者の注意を逸らすことなく、乗員間での会話を楽しむことができる。
【符号の説明】
【０１１０】
１０・・・情報共有システム、１００・・・車両、１０２・・・情報提供装置、１０４・・・携帯端末、２００、４００・・・処理装置、２０２、４０２・・・ＰＡＮ無線装置、２０４・・・ＨＵＤ、２０６・・・ステアリングスイッチ、２０８、４０６・・・ディスプレイ、２１０、４０８・・・操作入力装置、２１２・・・車両内ＮＷインタフェース、２１４・・・ハンズフリー装置、２１６、４１０・・・スピーカ、２１８・・・ナビゲーション装置、２２０・・・オーディオ装置、２２２・・・映像装置、２３０・・・入力選択ユニット、２３２・・・操作検出ユニット、２３４・・・表示制御ユニット、２３６・・・通信制御ユニット、２３８、４２８・・・情報転送制御ユニット、４０４・・・広域無線装置、４１２・・・マイクロホン、４２０・・・無線接続制御ユニット、４２２・・・電話通信制御ユニット、４２４・・・メール通信制御ユニット、４２６・・・ウェブ通信制御ユニット、５００・・・ハンドル、５０２・・・ダッシュボード、５０４・・・速度計。
【図１】
2014216714.tif 000003
【図２】
2014216714.tif 000004
【図３】
2014216714.tif 000005
【図４】
2014216714.tif 000006
【図５】
2014216714.tif 000007
【図６】
2014216714.tif 000008
【図７】
2014216714.tif 000009
【図８】
2014216714.tif 000010
【図９】
2014216714.tif 000011
【図１０】
2014216714.tif 000012